(57)【要約】【課題】胴体の外面に図柄を形成しやすい紙容器を提供する。【解決手段】紙容器Ａは、筒状の胴部１０１と、底面部１０２と、有底筒状の収納部１０３とを備え、耐水性および耐油性の少なくとも一方を有する紙シートＰｓで形成される。紙シートＰｓは、底壁部１と、底壁部１から立設する複数の側壁部２、３と、隣接する側壁部２、３を連結する複数の連結部４と、を備える。連結部４は、第１連結片４１と、第１連結片４１よりも小さい第２連結片４２とを備える。連結部４は、第１連結片４１と前記第２連結片４２とが収納部１０３の内側で重ねられるとともに第１連結片４１が側壁部３の内側に接触する。【選択図】図２
2020075726.tif 000002
【特許請求の範囲】
【請求項１】
筒状の胴部と、前記胴部の下面を閉じる底面部と、前記胴部および前記底面部により形成される有底筒状の収納部とを備え、耐水性および耐油性の少なくとも一方を有する紙シートで形成される紙容器であって、
前記紙シートは、
前記底面部を形成する多角形の底壁部と、
前記底壁部の各辺と第１折り線を介して連設されて前記第１折り線の折り曲げにより立設して前記胴部を形成する複数の側壁部と、
隣接する前記側壁部を連結する複数の連結部と、を備え、
前記連結部は、
第１連結片と、前記底壁部の頂点から延びる第２折り線で前記第１連結片と連結されて前記第１連結片よりも小さい第２連結片とを備え、
前記第１連結片は、前記底壁部の頂点から延びる第３折り線を介して隣接する前記側壁部のうち一方の側壁部の側辺と連設し、
前記第２連結片は、前記底壁部の頂点から延びる第４折り線を介して隣接する前記側壁部のうち他方の側壁部の側辺と連設し、
前記連結部は、前記第２折り線、第３折り線および第４折り線の折り曲げにより前記第１連結片と前記第２連結片とが前記収納部の内側で重ねられるとともに前記第１連結片が前記他方の側壁部の内側に接触することを特徴とする紙容器。
【請求項２】
前記第１連結片の前記第２連結片と重なる部分以外の部分が前記他方の側壁部の内側に接着される請求項１に記載の紙容器。
【請求項３】
前記第１連結片と第２連結片とが接着される請求項１または請求項２に記載の紙容器。
【請求項４】
前記側壁部の両側辺に連設された２つの前記連結部において、前記連結部それぞれの前記第１連結片および前記第２連結片の位置は、当該側壁部を挟んで対称である請求項１から請求項３のいずれかに記載の紙容器。
【請求項５】
前記紙シートは、少なくとも内面に耐水性コートおよび耐油性コートの少なくとも一方を施した食品一次容器に使用可能な紙である請求項１から請求項４のいずれかに記載の紙容器。
【請求項６】
前記紙シートは、耐水性を有する層、耐油性を有する層およびその両方を有する層の少なくとも１層を紙層の内側に積層した積層体である請求項１から請求項５のいずれかに記載の紙容器。
【発明の詳細な説明】
【技術分野】
【０００１】
本発明は、紙容器に関する。
【背景技術】
【０００２】
従来の紙製容器は特許文献１に開示される。この紙製容器は一枚のシート状材を折り曲げて形成される。シート状材は、矩形の底壁部の四辺と連結した前後左右壁部と、隣接する壁部に連設された外部折畳片とを備えている。前後左右壁部を底壁部に対して折り曲げて立設させるとともに、外部折畳片を前後左右壁部の外部に折りたたむ。そして、折り畳まれた外部折畳片を対向する壁部の外面に接着することで紙製容器が形成される。
【先行技術文献】
【特許文献】
【０００３】
【特許文献１】実用新案登録第３１７６８５２号公報
【発明の概要】
【発明が解決しようとする課題】
【０００４】
外部折畳片を外部に接着させることで外部折畳片と壁部とが重なる部分が壁部の外部に形成される。そのため、シート状材の状態で、外壁をなす部分が不連続となり、壁部の外面に図柄を形成することが困難な場合がある。特に、文字列や緻密な図柄では、壁部の外面に図柄を形成することの困難性が高くなる。
【０００５】
本発明は、胴体の外面に図柄を形成しやすい紙容器を提供することを目的とする。
【課題を解決するための手段】
【０００６】
上記目的を達成するために本発明の紙容器は、筒状の胴部と、前記胴部の下面を閉じる底面部と、前記胴部および前記底面部により形成される有底筒状の収納部とを備える。前記紙容器は、耐水性および耐油性の少なくとも一方を有する紙シートで形成される。前記紙シートは、前記底面部を形成する多角形の底壁部と、前記底壁部の各辺と第１折り線を介して連設されて第１折り線の折り曲げにより立設して前記胴部を形成する複数の側壁部と、隣接する前記側壁部を連結する複数の連結部と、を備える。前記連結部は、第１連結片と、前記底壁部の頂点から延びる第２折り線で前記第１連結片と連結されて前記第１連結片よりも小さい第２連結片とを備える。前記第１連結片は、前記底壁部の頂点から延びる第３折り線を介して隣接する前記側壁部のうち一方の前記側壁部の側辺と連設する。前記第２連結片は、前記底壁部の頂点から延びる第４折り線を介して隣接する前記側壁部のうち他方の前記側壁部の側辺と連設する。前記連結部は、前記第２折り線、前記第３折り線および前記第４折り線の折り曲げにより前記第１連結片と前記第２連結片とが前記収納部の内側で重ねられるとともに前記第１連結片が他方の前記側壁部の内側に接触する。
【０００７】
このように構成することで、連結部を収納部の内部に配置するため、胴部の外面に重ね合わせが無くなる。これにより、胴部の外部に図柄を形成しやすい。また、重ね合わせによってずれが生じにくいため、緻密な図柄や文字列等、ずれが生じると意匠性が損なわれたり、内容が分からなくなったりする図柄を形成することが可能である。
【０００８】
また、連結部は、収納部の内部で胴部に接触して配置される。これにより、紙容器を収納部に挿入して重ねて配置する場合において、一方の紙容器の連結部が他方の紙容器と干渉しにくく、重ねて配置しやすい。また、一方の紙容器の連結部と他方の紙容器とが干渉しにくいため、他方の紙容器を一方の紙容器の収納部１０３の奥に挿入することが可能である。そのため、複数の紙容器を重ねて配置したときの外形を小さくすることができる。これにより、複数の紙容器を保管する場所を小さくできる。また、複数の紙容器の移動が容易になる。
【０００９】
上記構成の紙容器において、前記第１連結片の前記第２連結片と重なる部分以外の部分が他方の前記側壁部の内側に接着されてもよい。このようにすることで、連結部を収納部の内部に配置するとともに、各連結部を１点で接着することで、連結部と収納部に収納される紙容器の干渉を抑制できる。そのため、製造工程を減らすことが可能である。
【００１０】
上記構成の紙容器において、前記第１連結片と前記第２連結片とが接着されてもよい。このようにすることで、内部に収納される収納物品と直接接触しにくい部分を接着にて固定することで、紙容器を形成できる。そのため、接着剤として、水性エマルジョンの接着剤以外にも、ホットメルトを使用することが可能である。これにより、紙容器の内部に、水性エマルジョンの接着剤で接着が困難な樹脂フィルム層を積層することができる。つまり、作業工数を抑えつつ、紙容器を構成する材料として多くの選択肢から選択可能である。
【００１１】
上記構成の紙容器において、側壁部の両側辺に連設された２つの連結部において、連結部それぞれの第１連結片および第２連結片の位置は、側壁部を挟んで対称である。このようにすることで、紙シートを折り曲げるときに、折り曲げの方向が側壁部を挟んで対称となるので、折り曲げが容易になる。これにより、製造工程を簡略化できる。
【００１２】
上記構成の紙容器において、紙シートは、少なくとも内面に耐水性コートおよび耐油性コートの少なくとも一方を施した食品一次容器に使用可能な紙であってよい。このような、紙シートを用いることで、接着剤として水性エマルジョンの接着剤を用いることが可能である。
【００１３】
上記構成の紙容器において、前記紙シートは、耐水性を有する層、耐油性を有する層およびその両方を有する層の少なくとも１層を紙層の内側に積層した積層体であってよい。
【発明の効果】
【００１４】
本発明によると、胴体の外面に図柄を形成しやすい紙容器を提供することが可能である。
【図面の簡単な説明】
【００１５】
【図１】本発明にかかる紙容器の斜視図を示している。
【図２】図１に示す紙容器の蓋部を開いた状態を示す斜視図である。
【図３】紙容器を構成する紙シートの展開図である。
【図４】紙容器の組立途中の状態における連結部の近傍を拡大した図である。
【図５】第１連結片を側壁部に接着にて固定した状態の連結部の近傍を拡大した図である。
【発明を実施するための形態】
【００１６】
＜第１実施形態＞
以下に図面を参照して本発明の実施形態を説明する。図１は、本発明にかかる紙容器Ａの斜視図を示している。図２は、図１に示す紙容器Ａの蓋部１０４を開いた状態を示す斜視図である。図３は、紙容器Ａを構成する紙シートＰｓの展開図である。
【００１７】
紙容器Ａは一枚の紙シートＰｓ（図３参照）を折り曲げて形成され、食品等の収納物品を収納する。紙シートＰｓは、食品からの水分および油分を外部に漏らしにくい性質、すなわち、耐水性および耐油性を備える。つまり、紙容器Ａは、収納物品からの水分、油分等を外部に漏らしにくい容器である。
【００１８】
紙容器Ａは筒状の胴部１０１の下面を底面部１０２（図１、図２等参照）により閉じられ、内容物を収納する有底筒状の収納部１０３が形成される。胴部１０１の上面は蓋部１０４により開閉される。底面部１０２は、矩形である。胴部１０１は対向する一対の側壁部２および対向する一対の側壁部３により形成される。蓋部１０４は各側壁部３の上端に連設される上面板５により形成される。
【００１９】
図２に示すように、隣接する側壁部２と側壁部３との間は連結部４により連結される。連結部４は、折り曲げて重ねられた後、側壁部３の内側に貼着される。以下の説明では、側壁部２を一方の側壁部、側壁部３を他方の側壁部として説明するが、逆であってもよい。
【００２０】
次に、紙シートＰｓの詳細について説明する。図３に示すように、紙シートＰｓは、底壁部１と、一対の側壁部２と、一対の側壁部３と、４つの連結部４と、一対の上面板５と、一対の上面フラップ６とを備える。また、紙シートＰｓは、複数の折り線（第１折り線Ｌ１〜第６折り線Ｌ６）を備える。紙シートＰｓの折り線を山折りまたは谷折りして、紙容器Ａが形成される。本実施形態において、「山折り」および「谷折り」は紙容器Ａが組み立てられた状態、すなわち、図１に示す紙容器Ａを外部から見た状態を基準としている。
【００２１】
図３に示す紙シートＰｓにおいて、複数の折り線を一点鎖線または破線で示しており、谷折りされる折り線は一点鎖線で、山折りされる折り線は破線で示す。なお、本実施形態では、折り線は、紙容器Ａを構成する各部材の境界部分と重なる構成としているが、ずれていてもよい。折り線としては、例えば、紙シートＰｓの一方の面から突出するとともに他方の面から凹んだ形状を挙げることができるが、これに限定されない。
【００２２】
底壁部１は、矩形状であり底面部１０２を形成する。本実施形態では、底壁部１は正方形であるが、これに限定されない。例えば、底壁部１は、長方形、ひし形等の正方形以外の四角形であってもよいし、六角形、八角形等の四角形以外の多角形であってもよい。
【００２３】
底壁部１は、２対の対向する２辺を有する。底壁部１の一方の対向する２辺には側壁部２が第１折り線Ｌ１を介して連設される。底壁部１の他方の対向する２辺には、側壁部３が第１折り線Ｌ１を介して連設される。側壁部２および側壁部３は底壁部１の各辺から折り曲げにより立設して胴部１０１（図１、図２参照）を形成する。側壁部２および側壁部３は、同じ形状であり、ここでは、等脚台形である。側壁部２および側壁部３は、底壁部１と連設した辺と対向する辺が長く形成される。
【００２４】
このような構成とすることで、胴部１０１は、下部から上部に向かって傾斜した、いわゆる、テーパ形状となる。なお、側壁部２および側壁部３を矩形状とすることで、下部から上部に向かって外周が均一な筒形状とすることができる。また、逆に側壁部２および側壁部３の底壁部１と連設した辺と対向する辺を短くすることで、上部が下部に比べて小さいテーパ形状とすることも可能である。つまり、側壁部２および側壁部３の形状は底壁部１の形状に合わせるとともに、胴部１０１の形状に応じて適宜変更される。隣接する側壁部の隣接する辺の長さが同じであれば、形状は特に限定されない。例えば、底壁部１が正多角形の場合、全ての側壁部を同じ形状とできる。
【００２５】
上面フラップ６は、一対の側壁部３の各々の底壁部１と連設される辺と対向する辺に第６折り線Ｌ６を介して連設される。各側壁部３と連設された上面フラップ６は、ここでは、同じ形状であり、図３において底壁部１を挟んで鏡像の関係にある。なお、上面フラップ６は、同じ形状でなくてもよい。上面板５は、一対の側壁部２の各々の底壁部１と連設される辺と対向する辺に第５折り線Ｌ５を介して連設される。各側壁部２と連設された上面板５は同じ形状であり、図３において底壁部１の中心を挟んで点対称である。
【００２６】
上面板５の先端には、当接片５１と、スリット５２とが備えられている。当接片５１は、上面板５の先端の一方側が上面板５に沿って突出している。すなわち、上面板５の先端は、中間部で段差が形成されている。スリット５２は、当接片５１の段差の入隅部から上面板５の内部に向かって延びている。
【００２７】
つまり、紙容器Ａは、一対の上面板５を備える（図２参照）。そして、一対の上面板５の当接片５１を他方の上面板５の上に配置するとともに、スリット５２同士を他方のスリット５２に挟むことで、蓋部１０４（図１参照）を閉じた状態が保持される。
【００２８】
連結部４は、隣接する側壁部２と側壁部３との間に配されて、隣接する側壁部２と側壁部３とを連結する。連結部４は、第１連結片４１と、第２連結片４２とを備える。第１連結片４１と第２連結片４２とは、底壁部１の頂点から外側に延びる第２折り線Ｌ２を介して連設される。第１連結片４１および第２連結片４２とは、いずれも楔形である。
【００２９】
第２連結片４２は、第１連結片４１に比べて小さい。そのため、第２連結片４２は、第１連結片４１の第２連結片４２と隣接する辺の一部と第２折り線Ｌ２を介して連設される。図３に示す紙シートＰｓでは、第２折り線Ｌ２の延長線上に、第１連結片４１の第２連結片４２と隣接する辺が形成されている。第１連結片４１および第２連結片４２の底壁部１に隣接した角部の角度は、同じ角度である。これにより、連結部４を第２折り線Ｌ２で折り曲げたとき、第２連結片４２は第１連結片４１の一部と重ねることができる。
【００３０】
なお、本実施形態の紙容器Ａでは、第１連結片４１および第２連結片４２は、三角形であるが、これに限定されない。第２連結片４２として、第２折り線Ｌ２で折り曲げたときに第２連結片４２が第１連結片４１の一部と重なるとともに、第１連結片４１が側壁部３と直接接触できる形状を広く採用できる。このとき、第１連結片４１は、側壁部３の内部に収まる形状を広く採用できる。第１連結片４１および第２連結片４２の形状としては、例えば、扇形等であってもよい。
【００３１】
第１連結片４１は、側壁部２と底壁部１の頂点から延びる第３折り線Ｌ３を介して連設される。第１連結片４１の１つの辺は、側壁部２の側辺と同じ長さに形成される。つまり、第１連結片４１は側壁部２の側辺の全長に亘って、第３折り線Ｌ３を介して側壁部２と連設される。なお、本実施形態では、第１連結片４１は、側壁部２の側辺よりも短くてもよい。この場合も第１連結片４１は、第２連結片４２よりも大きい。
【００３２】
第２連結片４２は、側壁部３と底壁部１の頂点から延びる第４折り線Ｌ４を介して連設される。第２連結片４２の１つの辺は、側壁部３の側辺より短い。つまり、第２連結片４２は、側壁部３の底壁部１の頂点と接する側から一定の長さの範囲で、第４折り線Ｌ４を介して側壁部３と連設される。図３に示すように、第４折り線Ｌ４は、側壁部３の側辺と重なっている。換言すると、第４折り線Ｌ４の延長線は、側壁部３の側辺と重なる。
【００３３】
なお、第４折り線Ｌ４の長さは、長すぎると、第１連結片４１の接着部分を確保しにくくなるし、後述する復元力が高くなりすぎる。短すぎると、収納部１０３の下部の水分および油分等が漏れにくい領域の底面部１０２からの高さが低くなり、水分、油分等が外部に漏れやすくなる。そのため、第４折り線Ｌ４の長さとしては、例えば、側壁部３の側辺の半分〜１／３程度であることが好ましい。
【００３４】
また、第４折り線Ｌ４の長さは、収納物品によって決定されてもよい。例えば、収納物品に含まれる水分、油分等の量、収納物品から滲み出す水分、油分等の量に応じて決定されてよい。
【００３５】
図３に示すように、側壁部２の両側に配置された連結部４それぞれの第１連結片４１および第２連結片４２の位置は、側壁部２を挟んで対称である。また、側壁部３の両側に配置された連結部４それぞれの第１連結片４１および第２連結片４２の位置は、側壁部３を挟んで対称である。このようにすることで、紙シートＰｓを折り曲げて紙容器Ａを形成するときに、力を対称にかけることができるため、折り曲げやすい、すなわち、製造が容易である。
【００３６】
図３に示すように、底壁部１、側壁部２、側壁部３、第１連結片４１および第２連結片４２は、いずれも、底壁部１の頂点と隣接する。そのため、第１折り線Ｌ１、第２折り線Ｌ２、第３折り線Ｌ３および第４折り線Ｌ４の底壁部１の頂点の周辺には、隙間が形成されない。
【００３７】
次に、連結部４の折り曲げについて、図面を参照して説明する。図４は、紙容器Ａの組立途中の状態における連結部４の近傍を拡大した図である。図５は、第１連結片４１を側壁部３に接着にて固定した状態の連結部４の近傍を拡大した図である。
【００３８】
図３に示す紙シートＰｓにおいて、第１折り線Ｌ１を山折りして一対の側壁部２および一対の側壁部３を底壁部１に対して立設させる。このとき、連結部４において第２折り線Ｌ２を谷折りするとともに、第３折り線Ｌ３および第４折り線Ｌ４を山折りする（図４参照）。これにより、第２連結片４２が第１連結片４１に隠れるように重ねられる。
【００３９】
そして、第１連結片４１の第２連結片４２と重なっていない部分、すなわち、第１連結片４１の上部が、側壁部３に接着剤にて接着される（図２、図５等参照）。このとき、隣接する側壁部２と側壁部３の側辺同士が重なる。これにより、胴部１０１が形成される。紙シートＰｓにおいて、底壁部１と、側壁部２および側壁部３とは一体的に形成されているので、胴部１０１が形成されると同時に、胴部１０１の下部には底面部１０２が連設される。これにより、有底筒状の収納部１０３が形成される。
【００４０】
すなわち、紙容器Ａでは、第１折り線Ｌ１、第３折り線Ｌ３および第４折り線Ｌ４を山折り、第２折り線Ｌ２を谷折りすることで、一対の側壁部２と一対の側壁部３とで筒状の胴部１０１が形成され、胴部１０１の下部に底面部１０２が連設された有底筒状の収納部１０３が形成される。
【００４１】
上述したとおり、紙シートＰｓは、耐水性および耐油性を備える。また、紙シートＰｓにおいて、底壁部１、側壁部２、側壁部３、第１連結片４１および第２連結片４２は、いずれも、底壁部１の頂点と隣接する。いずれも底壁部１の頂点から延びる第２折り線Ｌ２、第３折り線Ｌ３および第４折り線Ｌ４にて連結部４を折り畳むことで、連結部４は、第２連結片４２が、第１連結片４１と側壁部３とに重ねて折り畳まれる、いわゆる、ウォータタイト貼りされる。これにより、紙容器Ａは、少なくとも底面部１０２から第４折り線Ｌ４の上端までの間の水分、油分が外部に漏れにくくなる。なお、このことを示すために、紙容器Ａを組み立てたときに、第４折り線Ｌ４の上端の位置を示す線（不図示）を側壁部２および側壁部３に形成してもよい。
【００４２】
そして、収納部１０３に収納物品を収納した後、第６折り線Ｌ６を山折りする。これにより、収納部１０３の上面のうち、側壁部３の上部との隙間が覆われる。そして、第５折り線Ｌ５を山折りして、上面板５で収納部１０３の上面を覆う。また、上面板５によって収納部１０３の側壁部２の上部との隙間が覆われる。以上のようにして、紙容器Ａは、形成される。
【００４３】
図２等に示すように、本実施形態の紙容器Ａでは、折り返しによってウォータタイト貼りされる連結部４が、胴部１０１の内側に配置される。そのため、胴部１０１および底面部１０２の外面が、平滑な面で形成される。そのため、紙容器Ａは、胴部１０１および底面部１０２に表示された文字、画像との図柄が分断されにくい。これにより、紙容器Ａの胴部１０１に形成される図柄を形成しやすい。また、分断されることによる図柄のずれを抑制できるため、図柄の選択肢が多くなる。そのため、紙容器Ａの外面の意匠性を高めることが可能である。
【００４４】
組み立てられた紙容器Ａは重ねて配置される。このとき、紙容器Ａは、蓋部１０４を開いた状態とし、収納部１０３の上面から次の紙容器Ａの底面部１０２が収納部１０３の内部に収納される。すなわち、重ねて配置された２つの紙容器Ａにおいて、一方の紙容器Ａは他方の紙容器Ａの収納部１０３の内部に一部が収納された状態で配置される。なお、紙容器Ａを配置する場合、上下を反転させて配置する場合もあるが、同様に一方の紙容器Ａの収納部１０３の内部に他方の紙容器Ａの一部を収納して重ねて配置される。
【００４５】
本実施形態にかかる紙容器Ａにおいて、胴部１０１の内側に折り曲げられた連結部４は、第１連結片４１の上部が側壁部３に接着される。そのため、連結部４は浮きあがりにくく、紙容器Ａを重ねて配置したとしても、収納部１０３に収納された紙容器Ａと連結部４とが干渉しにくい。このことから、紙容器Ａは、重ねて配置しやすい。さらに、収納部１０３に収納される紙容器Ａを収納部１０３の奥に挿入することが可能である。これにより、収納物を収納する装置等において、複数の紙容器Ａを予め用意する場合に、複数の紙容器Ａを小さい空間に収納することが可能である。また、複数の紙容器Ａを重ねたときに小型に収納できるため、複数の紙容器Ａの移動が容易である。
【００４６】
本実施形態の紙容器Ａに収納する収納物品は、特に限定されないが、食品が収納される場合がある。このような収納物品には、水分を含む食品が含まれる。また、油分を含む食品も考えられる。さらに、喫食前にソース等の液状の物質を別途かける食品も考えられる。
【００４７】
このような、水分、油分を含む食品や液状の物質をかける食品の場合、水分、油分あるいは液状成分等が液体として収納部１０３の下部に溜まる。このような、液体が外部に漏れるのを抑制するため、本実施形態の紙容器Ａを形成する紙シートＰｓとして、耐水性および耐油性の少なくとも一方を備えた紙を用いている。
【００４８】
紙シートＰｓとして、例えば、食品一次容器に使用可能な紙であって、少なくとも紙容器Ａの内面となる面に、耐水性および耐油性の少なくとも一方を備えたコーティングを施した紙を採用できる。耐水性および耐油性の少なくとも一方を備えたコーティングの厚みは、例えば、数μｍである。また、食品一次容器に使用可能な紙であって、紙自体に耐水性および耐油性の少なくとも一方を備える紙を用いてもよい。このような、紙自体に耐水性および耐油性の少なくとも一方を備える紙を用いる場合、上述のコーティングを省略してもよい。また、耐水性または耐油性の一方を備える紙の場合、他方のコーティングを施してもよい。
【００４９】
このような、耐水性および耐油性の少なくとも一方を備えたコーティングを施した紙または耐水性および耐油性の少なくとも一方を備えた紙を用いる場合、食品と接触しても食品の品質を低下させない水性エマルジョンの接着剤で接着可能である。そのため、このような紙で形成した紙容器Ａにおいて、例えば、高温の食品をの湯気や油が上方に上がっても、食品の品質の維持が容易である。
【００５０】
すなわち、上述のような紙またはコーティングを施した紙で構成した紙容器Ａは、収納部１０３の下部に水分および（または）油分が溜まりやすい食品、収納部１０３の上部の接着部分に水分および（または）油分が到達しやすい食品等の収納に向いている。このような条件を満たす食品としては、例えば、米飯、ピラフ、炒飯、から揚げ、ポテトフライ等、それ自体高温であるとともに、水分および（または）油分を含むものを挙げることができる。
【００５１】
また、紙シートＰｓとして、紙層を基材層として紙層の紙容器Ａの内面となる側に耐水性および耐油性を有する樹脂フィルム層を積層した積層体を用いることも可能である。樹脂フィルム層としては、ポリプロピレン（ＰＰ）、ポリエチレン（ＰＥ）、ポリエチレンテレフタレート（ＰＥＴ）を挙げることができる。これらの樹脂フィルム層の層厚は、例えば、数μｍ〜十数μｍである。
【００５２】
これらの樹脂フィルム層は、水性エマルジョンの接着剤で接着することは困難である。そこで、樹脂フィルム層を含む積層体の紙シートＰｓを用いる場合、第１連結片４１と側壁部３との接着にはホットメルトを用いる。
【００５３】
ホットメルトを食品と接触させるのは好ましくない。つまり、ホットメルトで接着された接着部には水、油等が付着しないことが好ましい。このような条件を満たす食品としては、例えば、果物、野菜、菓子等を挙げることができる。
【００５４】
なお、本実施形態では、第１連結片４１を側壁部３の内面に接着しているものを挙げているが、これに限定されない。たとえば、ステープラー等の締結具を用いて、固定してもよい。また、側壁部３に貫通する孔を設けておき、第１連結片４１の一部をその孔に挿入するような構成であってもよい。これら以外にも、第１連結片４１を側壁部３の内部に固定できる方法を広く採用できる。
【００５５】
＜第２実施形態＞
本発明にかかる紙容器の他の例について説明する。第１実施形態の紙容器Ａでは、第１連結片４１を側壁部３の内面に接着させて、連結部４を固定していた。しかしながら、紙シートＰｓとして、内面に樹脂フィルム層を備えた積層体を用いる場合、接着剤としてホットメルトを用いる必要がある。ホットメルトと食品とを接触させることは好ましくない。そこで、本実施形態の紙容器Ａでは、第２折り線Ｌ２で折り曲げたとき、第１連結片４１と第２連結片４２の各々対向する面を接着剤で接着する。
【００５６】
紙容器Ａでは、第１連結片４１を第３折り線Ｌ３で山折りし、第２連結片４２を第４折り線Ｌ４で山折りして、胴部１０１を形成する。第１連結片４１には、元の形状に戻ろうとする復元力が作用する。この復元力は、第１連結片４１と側壁部２との連設部分（第３折り線Ｌ３）に発生する。同様に、第２連結片４２には、元の形状に戻ろうとする復元力が作用する。この復元力は、第２連結片４２と側壁部３との連設部分（第４折り線Ｌ４）に発生する。
【００５７】
紙容器Ａにおいては、第１連結片４１に作用する復元力は、第１連結片４１を側壁部３に押し付ける方向に作用する。また、第２連結片４２に作用する復元力は、第２連結片４２を側壁部２に押し付ける方向に作用する。そのため、第１連結片４１と第２連結片４２を重ねて接着した場合、第１連結片４１に作用する復元力と第２連結片４２に作用する復元力は互いに打ち消す方向に作用する。そして、第３折り線Ｌ３が、第４折り線Ｌ４に比べて長い。このことから、第１連結片４１に作用する復元力は第２連結片４２に作用する復元力よりも大きい。そのため、連結部４では、第１連結片４１と第２連結片４２とを接着した場合、第１連結片４１が側壁部３に接触する方向に変形しやすい。そのため、連結部４が胴部１０１の内側に浮き上りにくい。
【００５８】
紙容器Ａは、重ねて配置される。このとき、紙容器Ａは、蓋部１０４を開いた状態で、収納部１０３の上面から次の紙容器Ａの底面部１０２が収納部１０３の内部に収納される。すなわち、重ねて配置された２つの紙容器Ａにおいて、一方の紙容器Ａは他方の紙容器Ａの収納部１０３の内部に一部が収納された状態で配置される。なお、紙容器Ａを配置する場合、上下を反転させて配置する場合もあるが、同様に一方の紙容器Ａの収納部１０３の内部に他方の紙容器Ａの一部を収納して重ねて配置される。
【００５９】
本実施形態にかかる紙容器Ａでは、胴部１０１の内側に折り曲げられた連結部４の第１連結片４１が復元力によって側壁部３に押し付けられている。これにより、連結部４が収納部１０３の内部に浮きあがりにくい。そのため、収容部１０３の内部に配置された連結部４と、次に重ねられる紙容器Ａの胴部１０１とが干渉しにくい。このことから、紙容器Ａを重ねて配置することが容易になる。また、連結部４が側壁部３に押し付けられていることで、収納物品を収納しやすい。
【００６０】
例えば、紙容器Ａへの収納物品の収納は自動化された装置で行われる場合が多い。このような収納物品を収納する装置等において、紙容器Ａは予め組み立てられた状態で待機している。上述のように、複数の紙容器Ａを重ねて配置することで、装置の紙容器Ａを収容する空間を小さくできる。そのため、装置自体を小さくできるとともに、複数の紙容器Ａの移動が容易である。
【００６１】
本実施形態の紙容器Ａでは、第１連結片４１と第２連結片４２とを接着している。そして、第２連結片４２よりも大きい第１連結片４１が側壁部３の内面に押し当てられるため、第２連結片４２は、収納部１０３に対して第１連結片４１の背後に隠れる。つまり、第１連結片４１と第２連結片４２との接着部分は、第１連結片４１によって隠される。そして、第１連結片４１と第２連結片４２とが接着される面は、紙シートＰｓの胴部１０１の外面を形成する面と同じ面であり、水分や油分が付着しても、接着剤が食品に付着しにくい。
【００６２】
そのため本実施形態のように、第１連結片４１と第２連結片４２とを直接接着した紙容器Ａでは、ホットメルトを用いて接着を行った場合でも、水分や油分が多く、その水分や油分が接着剤に到達するような食品を収納物品として収納可能である。このような食品としては、例えば、米飯、ピラフ、炒飯、から揚げ、ポテトフライ等、それ自体高温であるとともに、水分および（または）油分を含むものを挙げることができる。
【００６３】
なお、これ以外の特徴については、第１実施形態と同じである。
【００６４】
以上示した紙容器Ａは、筒状の胴部１０１と、胴部１０１の下面を閉じる底面部１０２と、胴部１０１および底面部１０２により形成される有底筒状の収納部１０３とを備える。紙容器Ａは、耐水性および耐油性の少なくとも一方を有する紙シートＰｓで形成される。紙シートＰｓは、底面部１０２を形成する多角形の底壁部１と、底壁部１の各辺と第１折り線Ｌ１を介して連設されて第１折り線Ｌ１の折り曲げにより立設して胴部１０１を形成する複数の側壁部２、３と、隣接する側壁部２および３を連結する複数の連結部４と、を備える。連結部４は、第１連結片４１と、底壁部１の頂点から延びる第２折り線Ｌ２で第１連結片４１と連結されて第１連結片４１よりも小さい第２連結片４２とを備える。第１連結片４１は、底壁部１の頂点から延びる第３折り線Ｌ３を介して隣接する側壁部のうち一方の側壁部２の側辺と連設する。第２連結片４２は、底壁部１の頂点から延びる第４折り線Ｌ４を介して隣接する側壁部のうち他方の側壁部３の側辺と連設する。連結部４は、第２折り線Ｌ２、第３折り線Ｌ３および第４折り線Ｌ４の折り曲げにより第１連結片４１と第２連結片４２とが収納部１０３の内側で重ねられるとともに第１連結片４１が他方の側壁部３の内側に接触する。
【００６５】
このように構成することで、連結部４は、収納部１０３の内部で胴部１０１に接触して配置される。これにより、紙容器Ａを収納部１０３に挿入して重ねて配置する場合において、一方の紙容器Ａの連結部４が他方の紙容器Ａと干渉しにくく、重ねて配置しやすい。また、一方の紙容器Ａの連結部４と他方の紙容器Ａとが干渉しにくいため、他方の紙容器Ａを一方の紙容器Ａの収納部１０３の奥に挿入することが可能である。そのため、複数の紙容器Ａを重ねて配置したときの外形を小さくすることができる。これにより、例えば、複数の紙容器Ａを保管する場所を小さくできる。また、複数の紙容器Ａの移動が容易になる。
【００６６】
さらに、連結部４を収納部１０３の内部に配置するため、胴部１０１の外面に重ね合わせが無くなる。これにより、胴部１０１の外部に図柄を形成しやすい。また、重ね合わせによってずれが生じにくいため、緻密な図柄や文字列等、ずれが生じると意匠性が損なわれたり、内容が分からなくなったりする図柄を形成することが可能である。
【００６７】
上述した紙容器Ａは、第１連結片４１の第２連結片４２と重なる部分以外の部分が他方の側壁部３の内側に接着されてもよい。このようにすることで、連結部４を収納部１０３の内部に配置するとともに、各連結部４を１点で接着することで、連結部４と収納部１０３に収納される紙容器Ａの干渉を抑制できる。そのため、製造工程を減らすことが可能である。
【００６８】
上述した紙容器Ａは、第１連結片４１と第２連結片４２とが接着されてもよい。このようにすることで、内部に収納される収納物品と直接接触しにくい部分を接着にて固定することで、紙容器Ａを形成できる。そのため、接着剤として、水性エマルジョンの接着剤以外にも、ホットメルトを使用することが可能である。これにより、紙容器Ａの内部に、水性エマルジョンの接着剤で接着が困難な樹脂フィルム層を積層することができる。つまり、作業工数を抑えつつ、紙容器Ａを構成する材料として多くの選択肢から選択可能である。
【００６９】
上述した紙容器Ａは、側壁部２または３の両側辺に連設された２つの連結部４において、連結部４それぞれの第１連結片４１および第２連結片４２の位置は、側壁部２または３を挟んで対称である。このようにすることで、紙シートＰｓを折り曲げるときに、折り曲げの方向が側壁部２および側壁部３を挟んで対称となるので、折り曲げが容易になる。これにより、製造工程を簡略化できる。
【００７０】
上述した紙容器Ａは、紙シートＰｓは、少なくとも内面に耐水性コートおよび耐油性コートの少なくとも一方を施した食品一次容器に使用可能な紙であってよい。このような、紙シートを用いることで、接着剤として水性エマルジョンの接着剤を用いることが可能である。
【００７１】
上述した紙容器Ａは、紙シートＰｓは、耐水性を有する層、耐油性を有する層およびその両方を有する層の少なくとも１層を紙層の内側に積層した積層体であってよい。
【産業上の利用可能性】
【００７２】
本発明によると、調理されて水分および（または）油分の多い食品または果物等の水分の多い食品あるいはソース等の液体をかける食品を収納する紙容器に利用することができる。
【符号の説明】
【００７３】
Ｐｓ      紙シート
Ａ      紙容器
１０１      胴部
１０２      底面部
１０３      収納部
１０４      蓋部
１      底壁部
２      側壁部
３      側壁部
４      連結部
４１      第１連結片
４２      第２連結片
５      上面板
５１      当接片
５２      スリット
６      上面フラップ
Ｌ１      第１折り線
Ｌ２      第２折り線
Ｌ３      第３折り線
Ｌ４      第４折り線
Ｌ５      第５折り線
Ｌ６      第６折り線
【図１】
2020075726.tif 000003
【図２】
2020075726.tif 000004
【図３】
2020075726.tif 000005
【図４】
2020075726.tif 000006
【図５】
2020075726.tif 000007